(57)【要約】  迷惑メッセージに関する情報を収集する方法。本方法は、ハンドヘルド通信装置（１、１００、２００）内の迷惑メッセージに関連付けられたメッセージ情報を削除する工程を備える。メッセージの削除に応えて、削除されたメッセージ情報又は迷惑メッセージに関連付けられた情報データがメッセージ情報部（１０４、２２４）に転送される。そのメッセージ情報部のメモリ内のデータ情報は、迷惑メッセージに関連付けられた転送されたデータに基づき更新される。メッセージ情報部内に格納されたデータ情報に関係するメッセージをブロックする方法も開示される。
2008524679.tif 000002
【特許請求の範囲】
【請求項１】
迷惑メッセージに関する情報を収集する方法であって、
ハンドヘルド通信装置（１、１００、２００）内において迷惑メッセージに関連付けられたメッセージ情報を削除する工程を備え、
前記削除されたメッセージ情報又は前記迷惑メッセージに関連付けられたデータをメッセージ情報部（１０４、２２４）へ転送する工程と、
前記迷惑メッセージに関連付けられた前記転送されたデータに基づき、前記メッセージ情報部のメモリ内のデータ情報を更新する工程と、
を備えることを特徴とする方法。
【請求項２】
前記ハンドヘルド通信装置（１、１００、２００）宛ての着信メッセージから抽出したメッセージデータと、前記メッセージ情報部（１０４、２２４）に格納された前記データ情報とを比較して、前記メッセージを前記ハンドヘルド通信装置へ通知または転送すべきかどうか判定する工程を備えることを特徴とする、請求項１に記載の方法。
【請求項３】
前記メッセージ情報部（１０４、２２４）に格納された前記データ情報が、前記着信メッセージから抽出した前記メッセージデータに関するデータ情報を少しも備えない場合か、
前記データ情報は前記着信メッセージから抽出した前記メッセージデータに関係するが、前記格納された情報に遭遇した回数を示すカウンタ値が所定の値を下回る場合に、
前記通知を発行する工程または前記メッセージを転送する工程を備えることを特徴とする、請求項２に記載の方法。
【請求項４】
前記メッセージ情報部（１０４）は、前記ハンドヘルド通信装置（１００）内に設けられることを特徴とする、請求項１乃至３のいずれか１項に記載の方法。
【請求項５】
前記格納されたメッセージ情報の少なくとも一部を外部の電子通信装置（２０、２１、１３０）にエクスポートする工程を備えることを特徴とする、請求項４に記載の方法。
【請求項６】
前記削除情報に関連付けられた前記データを、前記メッセージ情報部（２２４）が設けられるネットワークノード（２２０）へ転送する工程を備えることを特徴とする、請求項１乃至３のいずれか１項に記載の方法。
【請求項７】
前記メッセージ情報部（２２４）内の情報を、前記ネットワークノード（２００）から少なくとも１つの別のネットワークノードへ転送する工程を備えることを特徴とする、請求項６に記載の方法。
【請求項８】
通信ネットワーク内で動作するハンドヘルド通信装置（１、１００、２００）に向けて宛てられたメッセージをブロックする方法であって、前記ハンドヘルド通信装置または前記通信ネットワークは、迷惑メッセージであると判定されたメッセージに関するデータ情報を備えるメッセージ情報部を備え、
前記ハンドヘルド通信装置向けの前記メッセージからメッセージデータを抽出する工程と、
前記メッセージデータと前記メッセージ情報部内に格納された前記データ情報とを比較して、前記メッセージを前記メッセージの宛先の前記ハンドヘルド通信装置へ通知または転送すべきかどうか判定する工程と、
を備える方法。
【請求項９】
ネットワークノード内に配置された前記メッセージ情報部（２２４）内の前記データ情報を、前記ネットワークノード（２２０）から前記ネットワークノードのドメインで動作する少なくとも１台のハンドヘルド通信装置（２００）へ転送する工程を備えることを特徴とする、請求項８に記載の方法。
【請求項１０】
前記ハンドヘルド通信装置（２００）が前記ネットワークノードのドメインにサインインしたことに応じて、前記メッセージ情報部（２２４）内の前記データ情報を送信する工程を備えることを特徴とする、請求項９に記載の方法。
【請求項１１】
前記比較する工程は、前記宛先のハンドヘルド通信装置（２００）で実行されることを特徴とする、請求項９または１０に記載の方法。
【請求項１２】
前記格納されたメッセージ情報の少なくとも一部を外部の電子通信装置（２０、２１、１３０）へエクスポートする工程を備えることを特徴とする、請求項１１に記載の方法。
【請求項１３】
前記比較する工程は、前記ネットワークノード（２２０）で実行されることを特徴とする、請求項９乃至１１のいずれか１項に記載の方法。
【請求項１４】
前記メッセージを前記宛先のハンドヘルド通信装置（２００）へ送信する工程と、
前記ハンドヘルド通信装置（２００）から前記ネットワークノード（２２０）へ送信されたスキャン要求を受信し、それに応じて前記比較する工程を実行する工程と、
前記比較工程の結果の情報を含むスキャン応答を送信する工程と
を備えることを特徴とする、請求項１３に記載の方法。
【請求項１５】
迷惑メッセージに関する情報を収集する装置であって、
ハンドヘルド通信装置（１、１００、２００）内の迷惑メッセージに関連付けられたメッセージ情報を削除するように構成されたコントローラ（１０１、１２１、２２１）を備え、
前記コントローラは、前記削除されたメッセージ情報又は前記迷惑メッセージに関連付けられたデータを、メッセージ情報部（１０４、２２４）へ転送するように構成され、
前記メッセージ情報部は、前記迷惑メッセージに関連付けられた前記転送されたデータに基づき、前記メッセージ情報部のメモリ内のデータ情報を更新するように構成される
ことを特徴とする装置。
【請求項１６】
前記コントローラ（１０１、１２１、２２１）は、前記ハンドヘルド通信装置（１、１００、２００）宛ての前記着信メッセージから抽出したメッセージデータと、前記メッセージ情報部（１０４、２２４）に格納された前記データ情報とを比較して、前記メッセージを前記ハンドヘルド通信装置へ通知または転送すべきかどうか判定するように構成されることを特徴とする、請求項１５に記載の装置。
【請求項１７】
前記コントローラ（１０１、１２１、２２１）は、
前記メッセージ情報部（１０４、２２４）に格納された前記データ情報が、前記着信メッセージから抽出した前記メッセージデータに関係するデータ情報を少しも備えない場合か、
前記データ情報は前記着信メッセージから抽出した前記メッセージデータに関係するが、前記格納された情報に遭遇した回数を示すカウンタ値が所定の値を下回る場合に、
前記通知の発行または前記メッセージの転送を行うように構成される
ことを特徴とする、請求項１６に記載の装置。
【請求項１８】
前記装置は、前記メッセージ情報部（１０４）が設置されるハンドヘルド通信装置（１００）内に存在することを特徴とする、請求項１５乃至１７のいずれか１項に記載の装置。
【請求項１９】
前記コントローラ（１０１）は、前記格納されたメッセージ情報の少なくとも一部を外部電子通信装置（２０、２１、１３０）へエクスポートするように構成されることを特徴とする、請求項１８に記載の装置。
【請求項２０】
前記コントローラ（１０１）は、前記削除情報に関連付けられた前記データを、前記メッセージ情報部（２２４）が設置されるネットワークノード（２２０）へ転送するように構成されることを特徴とする、請求項１５乃至１７のいずれか１項に記載の装置。
【請求項２１】
前記コントローラ（１２１）は、前記メッセージ情報部（２２４）内の情報を、前記ネットワークノード（２００）から少なくとも１つの別のネットワークノードに送信するように構成されることを特徴とする、請求項２０に記載の装置。
【請求項２２】
前記装置は、携帯用無線通信装置、移動体無線端末、ページャ、コミュニケータ、電子オーガナイザ、携帯用情報端末（ＰＤＡ）、ハンドヘルドコンピュータ、ハンドヘルドＶｏＩＰ電話機、スマートフォンまたはネットワークノード内に存在することを特徴とする、請求項１５乃至２１のいずれか１項に記載の装置。
【請求項２３】
前記装置は携帯電話機内に存在することを特徴とする、請求項１５乃至２２のいずれか１項に記載の装置。
【請求項２４】
通信ネットワーク内で動作するハンドヘルド通信装置（１、１００、２００）へ向けて宛てられたメッセージをブロックする装置であって、
迷惑メッセージであると判定されたメッセージに関するデータ情報を備えるメッセージ情報部（１０４、１２４、２２４）と、
前記ハンドヘルド通信装置向けの前記メッセージからメッセージデータを抽出し、前記メッセージデータと前記メッセージ情報部内に格納された前記データ情報とを比較して、前記メッセージを前記メッセージの宛先の前記ハンドヘルド通信装置へ通知または送信すべきかどうか判定する、コントローラ（１０１、１２１、２２１）と、
を備えることを特徴とする装置。
【請求項２５】
前記メッセージ情報部（２２４）と前記コントローラは、ネットワークノード（２２０）内に配置され、前記コントローラは、前記メッセージ情報部内の前記データ情報を、前記ネットワークノード（２２０）から前記ネットワークノードのドメインで動作する少なくとも１台のハンドヘルド通信装置（２００）へ送信するように構成されることを特徴とする、請求項２４に記載の装置。
【請求項２６】
前記コントローラは、前記ハンドヘルド通信装置（２００）が前記ネットワークノードのドメインにサインインするのに応じて、前記メッセージ情報部（２２４）内の前記データ情報を送信するように構成されることを特徴とする、請求項２５に記載の装置。
【請求項２７】
前記コントローラは、前記宛先のハンドヘルド通信装置（２００）内に設けられることを特徴とする、請求項２４に記載の装置。
【請求項２８】
前記コントローラは、前記格納されたメッセージ情報の少なくとも一部を、外部の電子通信装置（２０、２１、１３０）へエクスポートするように構成されることを特徴とする、請求項２７に記載の装置。
【請求項２９】
前記コントローラは、ネットワークノード（２２０）内に設けられることを特徴とする、請求項２４乃至２６のいずれか１項に記載の装置。
【請求項３０】
前記コントローラは、
前記メッセージを前記宛先のハンドヘルド通信装置（２００）へ送信し、
前記ハンドヘルド通信装置（２００）から前記ネットワークノード（２２０）へ送信されたスキャン要求を受信し、それに応じて前記比較する工程を実行し、
前記比較する工程の結果の情報を含むスキャン応答を送信する
ように構成されることを特徴とする、請求項２９に記載の装置。
【請求項３１】
前記装置は、前記宛先のハンドヘルド通信装置である携帯用無線通信装置、移動体無線端末、ページャ、コミュニケータ、電子オーガナイザ、携帯用情報端末（ＰＤＡ）、ハンドヘルドコンピュータ、ハンドヘルドＶｏＩＰ電話機、またはスマートフォン内に存在することを特徴とする、請求項２４乃至２８のいずれか１項に記載の装置。
【請求項３２】
前記装置は、前記宛先のハンドヘルド通信装置である携帯電話機内に存在することを特徴とする、請求項２４乃至２８のいずれか１項に記載の装置。
【請求項３３】
コンピュータプログラムコード手段がコンピュータ機能を有する電子装置により実行されるとき、請求項１乃至７のいずれか１項に記載の方法を実行する前記コンピュータプログラムコード手段を備えるコンピュータプログラム製品。
【請求項３４】
コンピュータプログラムコード手段がコンピュータ機能を有する電子装置により実行されるとき、請求項８乃至１４のいずれか１項に記載の方法を実行する前記コンピュータプログラムコード手段を備えるコンピュータプログラム製品。
【発明の詳細な説明】
【技術分野】
【０００１】
本発明は、迷惑メッセージに関する情報を収集する方法およびハンドヘルド通信装置に関する。本発明は、ハンドヘルド通信装置に通知されるメッセージをブロックする方法および装置にも関する。
【背景技術】
【０００２】
ハンドヘルド通信装置は、受信者が迷惑メッセージと見なすメッセージを受信することがある。迷惑メッセージは、スパムメッセージまたはスピン（インスタントメッセージングに関するスパム）メッセージとしても知られている。迷惑メッセージの受信は、ハンドヘルド通信装置のユーザにとって、ますます大きな問題になっている。迷惑メッセージは、ＳＭＳ（ショートメッセージサービス）メッセージなどの純粋にテキストだけのメッセージ、画像、映像若しくはオーディオメッセージ、またはその組み合わせのことがある。迷惑メッセージは、ＳＭＳメッセージ、ＭＭＳ（マルチメディアメッセージサービス）メッセージ、電子メール、ＷＡＰ（無線アプリケーションプロトコル）プッシュメッセージ、またはインスタントメッセージアプリケーションからのメッセージで、運ばれることがある。人間が掛ける営業用電話などの音声メッセージ、またはコンピュータが開始する録音した音声メッセージを使用する営業用電話も迷惑メッセージのことがある。そのようなスパムの一例は、２国間の国境を通過するときに受信するＳＭＳメッセージであり、そのメッセージは到着国のオペレータサービスを通知する。
【０００３】
迷惑メッセージが先行技術のハンドヘルド通信装置で受信される場合、装置は一般に迷惑メッセージをブロックするフィルタを全然備えていないので、そのメッセージは、通常は届けられるだろう。届けられた後、ユーザは、そのメッセージを読まずに、或いは読んだ後にメッセージに関するメッセージ情報を削除してもよい。メッセージが削除されない場合、ハンドヘルド通信装置のメモリが満杯になることがあり、それ以降の重要なメッセージを紛失することがある。
【０００４】
メッセージが電話の着信の場合、状況は異なる。迷惑電話の場合、発呼者の電話番号が伏せられることがあり、その場合は、使用の電話機が発信者番号表示サービスを利用していても、ユーザは、迷惑電話かそれとも有用な電話かを判定することができない。
【０００５】
したがって、迷惑メッセージを受信するのを防ぐか、または通知されるのを防ぐ方法が必要である。迷惑メッセージ数が増加しているので、この必要性はますます切迫したものになっている。この問題はメッセージの種類には関係ないようである。
【０００６】
携帯電話機の中には、着信電話を管理するコールマネージャを備えるものがある。コールマネージャは、例えば全着信電話またはローミング中に着信する電話を阻止するなどで全般的に電話を規制するように設定してもよい。さらに、コールマネージャは、詳細に電話を規制するように設定してもよく、それにより、携帯電話機内のリストに登録された電話番号を有するユーザから着信した電話は、受諾されるかまたは拒否される。携帯電話機のユーザは、リストを手作業で作成してもよい。しかし、そのようなコールマネージャは、迷惑電話を防ぐのに特に効果的ではない。着信電話が全般的に規制されている場合、迷惑電話の中にはブロックされるものもあるが、通過する迷惑メールもある。コールマネージャの詳細な使用は、迷惑電話の問題を解決することがある。しかし、詳細な使用は、携帯電話機の使い勝手をひどく制限するであろう。リストに登録されていない電話番号を有するユーザから有用な電話を受信したいと望むこともあるからである。
【発明の開示】
【発明が解決しようとする課題】
【０００７】
本発明の目的は、通信ネットワーク内の迷惑メッセージに関連付けられた情報を収集することである。
【課題を解決するための手段】
【０００８】
本目的は、迷惑メッセージに関連付けられた情報を収集する方法に関する第１の態様によって達成される。その方法は、ハンドヘルド通信装置内の迷惑メッセージに関連付けられたメッセージ情報を削除する工程を備える。削除したメッセージ情報又は迷惑メッセージに関連付けられたデータは、メッセージ情報部に転送される。そのメッセージ情報部のメモリ内のデータ情報は、前述の迷惑メッセージに関連付けられたその転送されたデータに基づき更新される。
【０００９】
着信メッセージをハンドヘルド通信装置に通知または転送すべきかどうかを決定するために、ハンドヘルド通信装置宛ての着信メッセージから抽出したメッセージデータは、メッセージ情報部内に格納された前述のデータ情報と比較されてもよい。メッセージ情報部内に格納されたデータ情報が着信メッセージから抽出したメッセージデータに関するデータ情報を少しも備えない場合、またはデータ情報は着信メッセージから抽出したメッセージに関係しているが、格納された情報に遭遇した回数を示すカウンタ値が所定の数を下回る場合、通知は出されてもよいし、またメッセージは転送されてもよい。
【００１０】
メッセージ情報部は、ハンドヘルド通信装置内に設置されてもよい。
【００１１】
格納されたメッセージ情報の少なくとも一部は、外部電子通信装置にエクスポートされてもよい。削除された情報に関連付けられたデータはネットワークノードに転送されてもよく、そのネットワークノード内にメッセージ情報部が設置されてもよい。メッセージ情報部内の情報は、ネットワークノードから少なくとも１つの別のネットワークノードに送信されてもよい。
【００１２】
第２の態様によれば、本目的は、通信ネットワーク内で動作するハンドヘルド通信装置に向けて宛てられたメッセージをブロックする方法で達成される。通信装置または通信ネットワークは、迷惑メッセージと判定されたメッセージに関するデータ情報を含むメッセージ情報部を備える。本方法は、ハンドヘルド通信装置に向けられたメッセージからメッセージデータを抽出する工程と、メッセージをメッセージの宛先のハンドヘルド通信装置に通知または送信すべきかどうか判定するために、メッセージデータと前述のメッセージ情報部に格納されたデータ情報とを比較する工程とを備える。
【００１３】
ネットワークノード内に配置されたメッセージ情報部内のデータ情報は、ネットワークノードからネットワークノードのドメイン内で動作する少なくとも１台のハンドヘルド通信装置に送信されてもよい。メッセージ情報部内のデータ情報は、ネットワークノードのドメインにハンドヘルド通信装置がサインインするのに応えて送信されてもよい。比較工程は、宛先のハンドヘルド通信装置で実行されてもよい。
【００１４】
格納されたメッセージ情報の少なくとも一部は、外部電子通信装置にエクスポートされてもよい。比較工程は、ネットワークノードで実行されてもよい。
【００１５】
メッセージは、宛先のハンドヘルド通信装置に送信されてもよい。ハンドヘルド通信装置から送信されるスキャン要求は、ネットワークノードに送信されてもよく、それに応えて比較工程が実行されてもよい。比較工程の結果の情報を有するスキャン応答も送信されてもよい。
【００１６】
第３の態様によれば、本目的は、迷惑メッセージに関する情報を収集する装置により達成される。装置は、ハンドヘルド通信装置内の迷惑メッセージに関連付けられたメッセージ情報を削除するように構成されたコントローラを備える。コントローラは、削除したメッセージ情報または迷惑メッセージに関連付けられたデータを、メッセージ情報部に転送するように構成される。メッセージ情報部は、前述の迷惑メッセージに関連付けられたその転送されたデータに基づきそのメッセージ情報部のメモリ内のデータ情報を更新するように構成される。
【００１７】
コントローラは、メッセージをハンドヘルド通信装置に通知または転送すべきかどうか判定するために、ハンドヘルド通信装置宛ての着信メッセージから抽出したメッセージデータと、メッセージ情報部内に格納された前述のデータ情報とを比較するように構成されてもよい。
【００１８】
メッセージ情報部に格納されたデータ情報が、着信メッセージから抽出されたメッセージデータに関するデータ情報を少しも備えない場合、またはデータ情報は着信メッセージから抽出されたメッセージデータに関係するが、格納された情報に遭遇した回数を示すカウンタ値が所定の数を下回る場合は、コントローラは、通知を出すかまたはメッセージを転送する原因となるように構成されてもよい。
【００１９】
装置はハンドヘルド通信装置内に含まれてもよく、そのハンドヘルド装置内にメッセージ情報部は設置されてもよい。
【００２０】
コントローラは、格納されたメッセージ情報の少なくとも一部を外部電子通信装置にエクスポートする原因となるように構成されてもよい。
【００２１】
コントローラは、削除した情報に関連付けられたデータをネットワークノードに転送する原因となるように構成されてもよく、そのネットワークノード内にメッセージ情報部は設置されてもよい。
【００２２】
装置は、メッセージ情報部内の情報を、ネットワークノードから少なくとも１つの別のネットワークノードに送信する原因となるように構成されてもよい。
【００２３】
コントローラは、携帯用無線通信装置、移動無線端末、ページャ、コミュニケータ、電子オーガナイザ、携帯情報端末（ＰＤＡ）、ハンドヘルドコンピュータ、ハンドヘルドＶｏＩＰ電話機、スマートフォンまたはネットワークノード内に含まれてもよい。コントローラは、携帯電話機にも含まれてもよい。
【００２４】
第４の態様によれば、本目的は、通信ネットワーク内で動作するハンドヘルド通信装置に向けて宛てられたメッセージをブロックする装置により達成される。装置は、迷惑メッセージと判定されたメッセージに関するデータ情報を備えるメッセージ情報部と、メッセージをメッセージの宛先のハンドヘルド通信装置に通知または送信すべきかどうか判定するために、ハンドヘルド通信装置向けのメッセージからメッセージを抽出し、メッセージデータと前述のメッセージ情報部内に格納された前述のデータ情報と比較するコントローラとを備える。
【００２５】
メッセージ情報部およびコントローラは、ネットワークノードに配置されてもよい。コントローラは、メッセージ情報部内のデータ情報を、ネットワークノードからネットワークノードのドメイン内で動作する少なくとも１台のハンドヘルド通信装置に送信する原因となるように構成されてもよい。
【００２６】
コントローラは、ハンドヘルド通信装置がネットワークノードのドメインにサインインするのに応えて、メッセージ情報部内のデータ情報を送信するように構成されてもよい。
【００２７】
コントローラは、宛先のハンドヘルド通信装置内に設置されてもよい。
【００２８】
コントローラは、格納されたメッセージ情報の少なくとも一部を外部電子通信装置にエクスポートする原因となるように構成されてもよい。
【００２９】
コントローラは、ネットワークノード内に設置されてもよい。
【００３０】
コントローラは、メッセージを宛先のハンドヘルド通信装置に送信し、ハンドヘルド通信装置からネットワークノードに送信されたスキャン要求を受信し、その要求に応えて比較工程を実施し、比較工程の結果の情報を有するスキャン応答を送信する原因となるように構成されてもよい。
【００３１】
装置は、宛先のハンドヘルド通信装置である携帯用無線通信装置、移動無線端末、ページャ、コミュニケータ、電子オーガナイザ、携帯情報端末（ＰＤＡ）、ハンドヘルドコンピュータ、ハンドヘルドＶｏＩＰ電話機、またはスマートフォン内に含まれてもよい。さらに、装置は、携帯電話機内に含まれてもよく、その携帯電話機は宛先のハンドヘルド通信装置でもよい。
【００３２】
第５の態様によれば、本目的は、コンピュータプログラムコード手段がコンピュータ機能を有する電子装置で実行されるとき、情報を収集する方法を実行する前述のコンピュータプログラムコード手段を備えるコンピュータプログラム製品により達成される。
【００３３】
第６の態様によれば、本目的は、コンピュータプログラムコード手段がコンピュータ機能を有する電子装置で実行されるとき、メッセージをブロックする方法を実行する前述のコンピュータプログラムコード手段を備えるコンピュータプログラム製品により達成される。
【００３４】
本発明の別の実施形態は、従属項で規定される。
【００３５】
本発明の利点は、迷惑メッセージがハンドヘルド通信装置に通知されるのをブロックすることができることである。さらに別の利点は、迷惑メッセージとして報告されたメッセージに関する情報が共有されて、迷惑メッセージの通知が最小限にされることがあることである。メッセージが通知されないハンドヘルド通信装置内の電力は、節約されることがある。
【００３６】
強調すべきことは、用語「備える」（ｃｏｍｐｒｉｓｅｓ／ｃｏｍｐｒｉｓｉｎｇ）は、本明細書で使用されるとき、述べられた特徴、整数、工程または要素の存在を指定するが、１つ以上の他の特徴、整数、工程、要素またはそのグループの存在または追加を除外しないと解釈されることである。
【発明を実施するための最良の形態】
【００３７】
本発明の別の目的、特徴および利点は、本発明の幾つかの実施形態に関する以下の説明から明らかになる。以下では、本発明の様々な態様を、添付の図面を参照してより詳細に説明する。
【００３８】
図１は、通信ネットワーク内で動作するハンドヘルド通信装置１を図解する。ハンドヘルド通信装置１は、通信ネットワークのネットワークノードとメッセージの送受信をしてもよい。通信ネットワークは、基地局１０ａ、１０ｂ、１０ｃ、１０ｄを備えてもよい。各基地局１０ａ、１０ｂ、１０ｃ、１０ｄは、基地局コントローラ１１ａ、１１ｂに接続されてもよく、基地局コントローラ１１ａ、１１ｂは、基地局１０ａ、１０ｂ、１０ｃ、１０ｄを通して中継される、ハンドヘルド通信装置１との信号トラヒックを制御する。各基地局コントローラ１１ａ、１１ｂは、１つ以上幾つかの基地局１０ａ、１０ｂ、１０ｃ、１０ｄを制御および監視してもよい。さらに、各基地局コントローラ１１ａ、１１ｂは、１つ以上幾つかの移動通信交換局１２に接続されてもよく、移動通信交換局１２は通信ネットワークと、公衆交換電話網（ＰＳＴＮ）とインターネットのような情報ネットワークとの少なくともいずれか等の別のネットワークとの間のインターフェースであってもよい。
【００３９】
図１では、ハンドヘルド通信装置は携帯電話機として例示されている。他の実施形態では、ハンドヘルド通信装置は、携帯用無線通信装置、移動無線端末、ページャ、コミュニケータ、電子オーガナイザ、携帯情報端末（ＰＤＡ）、ハンドヘルドコンピュータ、ハンドヘルドＶｏＩＰ（ボイス・オーバＩＰ（インターネットプロトコル））電話機、またはスマートフォンである。さらに図１では、通信ネットワークは基地局を備える。しかし、ネットワークは無線通信ネットワークである必要はない。別の実施形態では、ネットワークノードを備える有線ベースのネットワークであり、例えばインターネットなどのパケット交換ネットワークなどである。そのようなネットワークは、ＶｏＩＰ電話に適していてもよい。
【００４０】
ハンドヘルド通信装置１は、ワイヤレスリンク若しくはＩＲ（赤外線）リンクなどの短距離通信リンクまたはケーブル接続を通して外部通信装置２０にも接続されてもよい。代わりにまたは追加で、ハンドヘルド通信装置１は、ネットワークサーバ２１を備えるローカルエリアネットワーク（ＬＡＮ）に接続されてもよい。
【００４１】
迷惑メッセージがハンドヘルド通信装置１で受信された場合、迷惑メッセージに関連付けられたメッセージ情報は一時的に格納されてもよい。迷惑メッセージが迷惑メッセージと判定または分類され、関連付けられたメッセージ情報とメッセージが削除されると、削除された情報、及び迷惑メッセージに関連付けられたデータは、迷惑メッセージに関連付けられたデータ情報を格納するために、メッセージ情報部（ＭＩＵ）１０４、１３４、２２４（図２、３参照）に転送されてもよい。ＭＩＵ１０４、１３４、２２４は、ハンドヘルド通信装置１に設置されてもよく、基地局コントローラ１１ａ、１１ｂと移動通信交換局１２のどちらか一方または両方などのネットワークノードに設定されてもよく、あるいはサーバ２１に設置されてもよい。着信メッセージがハンドヘルド通信装置１に通知または転送される前に、メッセージの通知が出されるべきか、それともメッセージはブロックされるべきかを判定するために、メッセージ自体またはそのメッセージデータは、ＭＩＵ１０４、１３４、２２４内のデータ情報と比較されてもよい。したがって、メッセージのブロックは、ネットワークノード内またはハンドヘルド通信装置１内で判定されてもよい。ＭＩＵ１０４内のデータ情報は、外部通信装置２０およびネットワークサーバ２１の少なくともいずれかと共有されてもよいし、またそれらにエクスポートされてもよい。
【００４２】
図２は、ハンドヘルド通信装置の一実施形態を図解し、ハンドヘルド通信装置１００は、ＣＰＵ（中央演算処理装置）などのコントローラ１０１、送信／受信（Ｔｘ／Ｒｘ）部１０２、メモリ１０３およびＭＩＵ１０４を備える。ハンドヘルド通信装置１００は、ネットワークノード１２０に接続されてもよく、ネットワークノード１２０はＣＰＵなどのコントローラ１２１、Ｔｘ／Ｒｘ部１２２およびメモリ１２３を備える。ネットワークノードで受信されたメッセージは、直ぐに転送されてもよい。代わりに、メッセージはネットワークノード１２０に一時的に格納され、そこから直ぐに通知が出され、メッセージは要求があり次第転送される。ハンドヘルド通信装置１００は外部通信装置１３０にも接続されてもよく、外部通信装置１３０はコントローラ１３１、Ｔｘ／Ｒｘ部１３２、メモリ１３３およびＭＩＵ１３４を備える。
【００４３】
図３は、ハンドヘルド通信装置の別の実施形態を図解し、ハンドヘルド通信装置２００はコントローラ２０１、Ｔｘ／Ｒｘ部２０２およびメモリ２０３を備える。ハンドヘルド通信装置２００はネットワークノード２２０に接続されてもよく、ネットワークノード２２０はコントローラ２２１、Ｔｘ／Ｒｘ部２２２、メモリ２２３およびＭＩＵ２２４を備える。
【００４４】
図４は、図２と図３の実施形態の組み合わせの実施形態を図解し、ハンドヘルド通信装置１００とネットワークノード２２０の両方ともＭＩＵ１０４、２２４を備える。
【００４５】
メモリ１０３、１２３、１３３、２０３、２２３は、不揮発性メモリ、揮発性メモリ、フラッシュメモリ、ＲＡＭ（ランダムアクセスメモリ）、およびＲＯＭ（リードオンリーメモリ）の少なくともいずれかを備えてもよい。異なる複数のメモリが一緒に、参照数字１０３、１２３、１３３、２０３、２２３のそれぞれで示されてもよい。
【００４６】
Ｔｘ／Ｒｘ部１０２、１２２、１３２、２０２、２２２は、ＧＳＭ（Ｇｒｏｂａｌ  Ｓｙｓｔｅｍ  ｆｏｒ  Ｍｏｂｉｌｅ  Ｃｏｍｍｕｎｉｃａｔｉｏｎ）、ＰＤＣ（パーソナルデジタルセルラ）、３ＧＰＰ（第３世代パートナーシッププロジェクト）またはＣＤＭＡ２０００（符号分割多元接続）仕様に従って指定されるなどで、無線で通信するように構成されてもよい。さらに、Ｔｘ／Ｒｘ部１０２、１３２は、ブルートゥースまたは別のＷＬＡＮ（無線ローカルエリアネットワーク）規格などの短距離通信規格に準拠して通信するようにも構成されてもよい。ハンドヘルド通信装置１、１００、２００もコードレスまたは有線接続の電話機でもよく、その場合は、Ｔｘ／Ｒｘ部１０２、１３３はパケット交換通信に適合されてもよい。
【００４７】
ハンドヘルド通信装置１、１００、２００は、メッセージを受信するように構成されてもよく、そのメッセージは、基地局１０ａ、１０ｂ、１０ｃ、１０ｄにより中継される。メッセージは、例えば、ＳＭＳ（ショートメッセージサービス）メッセージなどの純粋なテキストメッセージ、画像、映像若しくはオーディオのメッセージ、またはその組み合わせでもよい。メッセージは、ＳＭＳメッセージ、ＥＭＳ（拡張メッセージサービス）メッセージ、ＭＭＳ（マルチメディアメッセージサービス）メッセージ、電子メール、音声メール、インスタントメッセージまたはＷＡＰ（無線アプリケーションプロトコル）プッシュメッセージで運ばれてもよい。人間が掛ける営業用電話またはコンピュータが開始する録音した音声メッセージを使用する営業用電話などの音声メッセージも、受信者の好み次第で、迷惑メッセージのこともある。メッセージは、サーバ２１または外部通信装置２０を通しても受信されてもよい。サーバ２１が設置されているＬＡＮのサービスエリアに装置が入るとき、サーバ２１は、ハンドヘルド通信装置１、１００への接続を確立してもよい。
【００４８】
メッセージは、ＳＩＰ（セッション開始プロトコル）メッセージでもよい。ＳＩＰは、リアルタイム・プロトコル・メカニズムを提供するので、終端システムおよびプロキシサーバは、ＶｏＩＰ（ボイス・オーバＩＰ）、ビデオ電話、インスタントメッセージング、ファクス配信等のサービスを提供してもよい。ＳＩＰは、電子メールアドレスの似たＳＩＰアドレスによりユーザをアドレス指定する。ＳＩＰアドレスはまた、ＵＲＬとしてウェブページに埋め込まれてもよい。
【００４９】
メッセージはまた、セッション開始メッセージでもよい。送信者または送信機は、受信者または受信機との接続を確立するために、開始メッセージを送信してもよい。開始メッセージは、送信者または送信機のアドレスおよびＩＤの少なくともいずれかを備えてもよい。それ故、一実施形態のセッション制御は、ハンドヘルド通信装置１００およびネットワークノード１２０、２２０のすくなくともいずれかで提供されてもよい。送信者または送信機を特定する開始メッセージのデータは、ＭＩＵ１０４、２２４内のデータ情報と比較されてもよい。ＭＩＵ１０４、２２４が送信者または送信機を特定するデータに関連付けられたデータ情報を備える場合、接続要求は拒否されてもよい。セッション制御は、例えば電話の呼び出し、ＶｏＩＰ接続の確立、チャット接続等で提供されてもよい。
【００５０】
メッセージがハンドヘルド通信装置１、１００、２００で受信された場合、メッセージに関連付けられたメッセージ情報、及びおそらくはメッセージそれ自体は、メモリ１０３、２０３内に格納される。メッセージ情報は、電子メール、ＳＭＳ、ＥＭＳ、ＭＭＳ若しくはインスタントメッセージ用のインボックスなどのインボックス内の項目、または着信呼用の電話番号として示されてもよい。項目は、ハンドヘルド通信装置のディスプレイ２に提示されてもよい。インボックス内の項目は、キーパッド３、ジョイスティック４、コントロールキー装置、タッチパッド、およびスクロールボタンの少なくともいずれか等の、ハンドヘルド通信装置１のユーザインターフェースを用いて、スクロールされ選択されてもよい。メッセージ情報は、情報が関係するメッセージの格納先へのリンクを備えてもよい。リンクは、ハンドヘルド通信装置１、１００、２００のメモリ１０３、２０３内の位置を指示してもよい。
【００５１】
メッセージに関連付けられたメッセージ情報は、少なくともメッセージを受信したハンドヘルド通信装置１、１００、２００のユーザに対して、メッセージの送信者のＩＤが伏せられたことを示す差し控え記録でもよい。
【００５２】
代わりに、メッセージは、電話番号、ＵＲＬ（ユニフォーム・リソース・ロケータ）若しくはＵＲＮ（ユニフォーム・リソース・ネーム）などのＵＲＩ（ユニフォームリソース識別子）、ブルートゥースＩＤ、電子メールアドレス、ＩＣＱ若しくはＡＩＭ（ＡＯＬインスタント・メッセージング）若しくはＷｉｒｅｌｅｓｓ  Ｖｉｌｌａｇｅ  ＩＤなどのＩＭＩＤ（インスタントメッセージ識別子）、ＩＰ（インターネットプロトコル）アドレスまたはＩＭＳＩ（国際移動電話加入者ＩＤ）またはＩＭＥＩ（国際移動装置ＩＤ）またはＷＬＡＮ（無線ローカルエリアネットワーク）ＩＤまたはイーサネット（登録商標）ＩＤまたはＬｉｎｕｘ若しくはＵｎｉｘ（登録商標）若しくはＷｉｎｄｏｗｓ（登録商標）ログインなどのコンピュータドメインログイン、またはＳＩＰアドレス、および送信エンティティの地理的位置（経度／緯度）の少なくともいずれか等のコンピュータ／サーバのＩＤなどのメッセージの送信者を特定するデータを備えてもよい。そのデータは、メッセージの受信時にハンドヘルド通信装置１、１００、２００に格納されてもよい。
【００５３】
ハンドヘルド通信装置１、１００、２００は、特定のメッセージに関連付けられたメッセージ情報を簡単に削除するために、削除機能または専用の「削除」ボタンを備えてもよい。代わりにまたは追加で、削除機能は、「迷惑メッセージ削除」機能を備えてもよく、さらに、又はこれに代えて「迷惑メッセージ削除」の別の専用ボタンを備えてもよい。迷惑メッセージ削除機能は、「グローバル迷惑メッセージ削除」機能および「パーソナル迷惑メッセージ削除」機能を備えてもよい。「グローバル迷惑メッセージ削除」機能が利用されるとき、最終的に関連メッセージは複数のハンドヘルド通信装置にとって迷惑メッセージであると見なされる。それに対して、「パーソナル迷惑メッセージ削除」機能が利用されるとき、メッセージまたはある送信者からのメッセージは、ハンドヘルド通信装置１でブロックされてもよい。「パーソナル迷惑メッセージ削除」機能が使用されるとき、削除したメッセージ情報に関連付けられたデータは、メッセージをブロックするローカルルールを設定するために使用されるので、ネットワークノード１２０、２２０に送信される必要はない。ある商品の売り出しメッセージは、他の人もこのメッセージを望まなさそうであるから、例えば「グローバル迷惑メッセージ削除」機能で削除されてもよい。例えば昔のガールフレンドなどの特定の送信者からのメッセージは、その送信者からのメッセージを他の人は望みそうなので、「パーソナル迷惑メッセージ削除」機能で削除してもよい。
【００５４】
メッセージ情報が「迷惑メッセージ削除」機能で削除されるとき、メッセージ情報に関連付けられたメッセージは、迷惑メッセージと見なされる。迷惑メッセージ削除機能は、ディスプレイ２に提示されるメニューを通じてアクセスできてもよく、例えばキーパッド３、ジョイスティック４または類似のボタンを押すことで、実行されてもよい。
【００５５】
迷惑メッセージに関連付けられたメッセージ情報の削除に応じて、削除情報、および迷惑メッセージに関連付けられたデータは、ＭＩＵ１０４、２２４に転送される。削除情報に関連付けられた転送されたデータは、電話番号、ＵＲＩ、ＵＲＬ、ＩＰ（インターネットプロトコル）アドレス、電子メールアドレス、ＳＩＰアドレス、ハンドヘルド通信装置１、１００、２００へのメッセージの到着時刻、ネットワークノード１２０、２２０からハンドヘルド通信装置１、１００、２００へのメッセージの転送時刻、または上記のようにメッセージで受信した情報のいずれかでよい。送信機のある種の地理的地域または特定の緯度経度などの地理的所在地も、メッセージを特定するために使用されてもよい。地理的所在地は、ある基地局１０ａ、１０ｂ、１０ｃ、１０ｄなどの、どのネットワークノードがメッセージを転送したかを判定することにより、決定されてもよい。地理的所在地は、メッセージそれ自体にも含まれてもよい。転送されたデータは、メッセージそれ自体でもよい。転送されたデータは、迷惑メッセージが受信されたとき、その中に含まれていてもよい。
【００５６】
ＭＩＵ１０４、２２４に格納されたデータ情報は、転送されたデータに基づき更新されてもよい。ＭＩＵ１０４、２２４は、ベイズフィルタなどの学習フィルタまたはコンテンツ・ベース・フィルタを備えてもよい。コンテンツ・ベース・フィルタは、転送されたデータからデータ情報を抽出するために使用されてもよい。抽出情報は、着信メッセージをハンドヘルド通信装置１、１００、２００へ通知および転送の少なくともいずれかを行う前に、着信メッセージをスキャンするルールを設定するために使用されてもよい。転送されたデータが、電話番号、ＩＰアドレス、電子メールアドレス、ＳＩＰアドレス、ＵＲＩ、およびＵＲＬの少なくともいずれかの場合は、ＭＩＵ１０４、２０４に格納されるデータ情報は、電話番号、ＩＰアドレス、電子メールアドレス、ＳＩＰアドレス、ＵＲＩ、およびＵＲＬの少なくともいずれかのリストであってもよい。着信メッセージは、その情報をＭＩＵ１０４、２０４内の情報と比較するためにスキャンされてもよい。転送されたデータが到着時刻の場合、この状況はメッセージを送信したエンティティの身元が伏せられて、ＭＩＵ２２４がネットワークノード１２０内に設置されている場合に起こりそうであるが、ＭＩＵ２２４は、ハンドヘルド通信装置１、１００、２００に発送しなかった、メッセージの到着時刻に関連するデータ情報を格納してもよい。到着時刻に関連するデータ情報は、例えば電話番号、ＩＰアドレス、ＳＩＰアドレス、ＵＲＩまたはＵＲＬでもよい。また、ＭＩＵ２２４は、メッセージが特定のハンドヘルド通信装置１、１００、２００に発送された時刻を格納してもよい。迷惑メッセージに関連付けられた転送されたデータがネットワークノード２２０のＭＩＵ２２４で受信されると、転送された到着時刻は、ＭＩＵ２２４に格納された発送時刻と比べられる。到着時刻と発送時刻が、例えば２、３秒の差などで関係する場合、発送時刻に関連するメッセージは迷惑メッセージであると見なされるだろう。その差は、発送から到着の登録までにかかる時間に応じて各実装で設定されなければならない。到着データの時刻が転送されたとき、ＭＩＵ２２４は、そこに格納したデータ情報を、例えば電話番号、ＩＰアドレス、電子メールアドレス、ＳＩＰアドレス、ＵＲＩまたはＵＲＬで更新してもよい。代わりに、送信エンティティの身元が公表されない場合、迷惑メッセージのデータペイロードは、メッセージに関連付けられたデータとしてＭＩＵ１０４、２２４に転送されてもよい。そのデータペイロードは、メッセージを描写できるデータであってもよい。
【００５７】
一実施形態では、ＭＩＵ１０４、２２４に格納されたデータ情報は、少なくとも１個のカウンタを備えてもよい。各カウンタは、抽出情報、電話番号、ＩＰアドレス、電子メールアドレス、ＳＩＰアドレス、ＵＲＩ、およびＵＲＬの少なくともいずれかなどの、ＭＩＵ１０４、２２４への各エントリに関連してもよい。ＭＩＵ１０４、２２４のエントリの更新は、カウンタを１だけ増加することを備えてもよい。転送されたデータに関連付けられたデータ情報が、ＭＩＵ１０４、２２４に既に存在する場合、カウンタを増加する必要があるだけである。しかし、迷惑メッセージのデータ情報が、ＭＩＵ１０４、２２４に存在しない場合、迷惑メッセージに関連付けられた情報およびそれに関連するカウンタのエントリが生成されてもよい。カウンタの情報の使用を以下に説明する。
【００５８】
上記のように、ＭＩＵ１０４、２２４は、ハンドヘルド通信装置１、１００、２００、および、ネットワークノード１２０、２２０の少なくともいずれかの中に設置されてもよい。したがって、ハンドヘルド通信装置１、１００、２００に向けて宛てられた着信メッセージから抽出したメッセージデータは、ハンドヘルド通信装置１、１００、２００にメッセージを転送する前または通知を届ける前に、ＭＩＵ１０４、２２４に格納されたデータ情報と比べられてもよい。抽出データは、メッセージのキーワード、電話番号、電子メールアドレス、ＩＰアドレス、ＳＩＰアドレス、ＵＲＩまたはＵＲＬでもよい。ＭＩＵがネットワークノード１２０、２２０内に設置され、着信メッセージが迷惑メッセージと判定された場合、着信メッセージまたはその通知は、ハンドヘルド通信装置１、１００、２００に送信される必要はない。このことは、ハンドヘルド通信装置１、１００、２００内での着信データの処理が減少され、電力が節約されることがあるので利点である。
【００５９】
ＭＩＵ１０４、２２４内の情報がカウンタを備える場合、カウンタの値は、メッセージをブロックする前に、確認されてもよい。カウンタの値が所定のレベルを下回る場合、メッセージに関連付けられたデータ情報がＭＩＵ１０４、２２４に格納されていても、メッセージが転送されてもよいか、またはその通知が届けられてもよい。所定のレベルは、例えばＭＩＵが設置されるネットワークのサイズに基づいて、各実装で設定されてもよい。カウンタまたはそれに関連するデータ情報に何回遭遇したかの所定のレベルを有することは、システムの乱用が是正され、迷惑メッセージとして報告されるメッセージの影響が除かれることがあるという利点がある。カウンタの値は、小規模ネットワークでは関連メッセージの通知をブロックする前に、５を超える必要があってもよい。大規模ネットワークの別の実施形態では、カウンタの値は、関係するメッセージの通知をブロックする前に、１０００を超える必要があってもよい。さらに、カウンタは、例えばメッセージが誤って迷惑メッセージに分類された場合、リセットされてもよい。
【００６０】
迷惑メッセージに関連付けられたデータ情報は、ハンドヘルド通信装置が動作するネットワーク内で、ハンドヘルド通信装置間で共有されてもよい。迷惑メッセージに関連付けられたデータが、幾つかのハンドヘルド通信装置からネットワークノード１２０、２２０に転送されるとき、ＭＩＵ２２４内の情報の信頼性は高まることがある。例えば、あるメッセージに関連付けられたデータが１，０００回迷惑メッセージであると報告されたと仮定すると、例えば他の１００，０００回メッセージが送信されるかもしれないユーザ達も、そのメッセージを迷惑メッセージと見なすだろう。それ故、迷惑メッセージをできるだけ速くブロックしてもよいのは好都合であり、それによりサーバおよびネットワークノードの少なくともいずれかが大量の情報を受ける危険が減ることがある。
【００６１】
ネットワークノード１２０、２２０内のＭＩＵ２２４のデータ情報は、異なるネットワークノード間で共有されてもよく、それらの間で伝送されてもよい。第１のネットワークノードが例えば基地局コントローラ１１ａである場合、そのＭＩＵ２２４のデータ情報は、第２のネットワークノード例えば基地局コントローラ１１ｂに伝送されてもよい。
【００６２】
ＭＩＵ１０４、２２４は、幾つかのリストを備えてもよく、そのリストには、異なる種類のデータ情報を含み、電話番号、ＳＭＳ／ＭＭＳ、および電子メールのリストの少なくともいずれかのそれぞれから少なくとも１つを含む。次いで、リストのデータ情報の種類次第で、リストは異なるネットワークノードまたは異なる種類のハンドヘルド通信装置で共有されてもよい。
【００６３】
ＭＩＵがハンドヘルド通信装置１００内に設置される場合、その中のデータ情報はネットワークノード１２０と共有されてもよい。そのネットワークノード１２０は、サーバ２１などのローカルネットワークノードでもよいし、またワイドエリアネットワークのネットワークノードでもよい。このことは、迷惑メッセージをブロックするフィルタをオフィスの場所内などで局所的に設定してもよいので、利点である。さらに、ハンドヘルド通信装置１、１００のＭＩＵ１０４内のデータ情報は、唯一の外部通信装置１３０と共有されてもよい。
【００６４】
迷惑メッセージは、一実施形態では、ハンドヘルド通信装置１、１００、２００の地理的所在地に基づいてブロックされてもよい。ネットワークノード１２０、２２０のＭＩＵ２２４内のデータ情報は、ネットワークノード１２０、２２０のドメイン内に存在するハンドヘルド通信装置１、１００、２００へのメッセージをブロックするために使用されてもよい。例えば、ハンドヘルド通信装置１、１００、２００は、ＭＩＵ２２４を備える基地局コントローラ１１ａ、１１ｂにより制御される基地局１０ａ、１０ｂ、１０ｃ、１０ｄのサービスエリア内に在ってもよい。ハンドヘルド通信装置１、１００、２００は、例えばサーバ２１からＬＡＮを通してメッセージを受信してもよい。この状況は、例えばショッピングモールで起こってもよい。迷惑メッセージに関連付けられたデータは、ネットワークノード１２０、２２０のＭＩＵ２２４に転送されてもよい。次いで、別のハンドヘルド通信装置が、例えばある基地局コントローラ１１ａ、１１ｂが担当する基地局１０ａ、１０ｂ、１０ｃ、１０ｄのサービスエリアに入る時などで、ネットワークノードのドメインにサインインするとき、ネットワークノード２２０のＭＩＵ２２４内に格納されたデータ情報は、もう一方のハンドヘルド通信装置１００のＭＩＵ１０４に送信されてもよい。ハンドヘルド通信装置のいずれかが、第１のネットワークノードのドメインから第２のネットワークノードのドメインに場所を変更中、ハンドヘルド通信装置１００は、第２のネットワークノードに格納されたデータ情報をネットワークからダウンロードまたは受信する。データ情報は、ハンドヘルド通信装置がネットワークノード２２０のドメインに入る時、自動的に受信されてもよい。これは、ローカルネットワークの送信エンティティの識別子ＩＤをハンドヘルド通信装置１、１００が知っている場合、ローカルネットワーク内でピアツーピア・メッセージを停止するのに効果的なこともある。受信データ情報は、ハンドヘルド通信装置がネットワークノードのドメインを去った後でさ、所定の期間などハンドヘルド通信装置に格納されていてもよい。ハンドヘルド通信装置１、１００、２００が前に訪れたネットワークノード２２０のドメインに再び入らない場合、そのネットワークノードから受信したデータ情報は削除されるだろう。
【００６５】
ハンドヘルド通信装置１、１００、２００の地理的所在地は、ハンドヘルド通信装置内のＧＰＳ（全地球測位システム）部によっても決定されてもよい。ハンドヘルド通信装置１、１００、２００がその地理的所在地を報告するとき、ハンドヘルド通信装置１００のＭＩＵ１０４内のデータ情報を更新する更新データは、ネットワークノード１２０、２２０での地理的所在地の受信に応えて、ＭＩＵ１０４に送信されてもよい。地理的所在地は、ハンドヘルド通信装置がローミングサービス中などにネットワークノードのドメインに入る時にも、決定されてもよい。
【００６６】
一実施形態では、着信メッセージまたはその通知は、ネットワークノード２２０から宛先のハンドヘルド通信装置２００へ常に送信される。メッセージの受信に応えて、ハンドヘルド通信装置２００は、スキャン要求を送信してもよい。ネットワークノード２２０がスキャン要求を受信すると、ハンドヘルド通信装置１００向けのメッセージから抽出したメッセージデータと、ＭＩＵ２２４に格納されたデータ情報とを比較する。比較結果の情報を有するスキャン応答は、ハンドヘルド通信装置２００に送信されてもよく、そのハンドヘルド通信装置２００は、装置の設定に応じて通知またはメッセージの表示を選んでもよい。あるユーザは、迷惑メッセージか否かにかかわらず、常にメッセージを受信することも望んでもよいし、それに対して別のユーザは、迷惑メッセージを決して受信しないことを望んでもよい。
【００６７】
図５は、迷惑メッセージの情報を収集する方法の一実施形態のフローチャートである。第１の工程３００では、迷惑メッセージに関連付けられたメッセージ情報は削除される。メッセージ情報に関係するメッセージは、ユーザが何らかの理由で迷惑メッセージだと考えた迷惑メッセージに該当すると、ユーザが判定したからである。メッセージ情報またはメッセージ全体は、迷惑メッセージを削除する操作に関連する特定の操作またはメニュー項目で削除されてもよい。普通の有用なメッセージを削除する特定の操作もあり、その操作では本発明の方法の工程を実行しない。
【００６８】
工程３０１では、削除情報、及び迷惑メッセージに関連付けられたデータは、ＭＩＵ１０４、２２４に転送される。そのようなデータは、上記のように電話番号、電子メールアドレス、ＳＩＰアドレス、ＵＲＩ、ＵＲＬ等でもよい。工程３０２では、転送されたデータはＭＩＵ１０４、２２４で受信される。すなわち、ハンドヘルド通信装置１、１００とネットワークノード２２０のどちらかで受信されてもよい。工程３０３では、転送されたデータに関係するデータ情報はＭＩＵ１０４、２２４内に既に格納されているかどうか判定される。工程３０３の答えがｙｅｓの場合、情報は既にＭＩＵ１０４、２２４内に存在する。しかし、メッセージ全体が転送されている場合は、メッセージをスキャンするために設定されたルールを更新してもよいなどで、例えば転送されたデータに基づき、データ情報は工程３０４で更新される必要があるかもしれない。次いで、手順は工程３０５に進む。工程３０３の答えがｎｏの場合、手順は工程３０６に進み、そこで、例えば転送されたデータに関連付けられたデータ情報のエントリを生成することにより更新される。また、新しいエントリに関連するカウンタが生成され、０などの初期値に設定されてもよい。次いで、手順は工程３０５に進む。工程３０５では、更新データ情報に関連するカウンタは、例えば１だけ増加され、そこで手順は終了する。
【００６９】
更新がカウンタ値の増加だけを意味する場合、工程３０４は除外されてもよい。当然のことながら、ＭＩＵ１０４、２２４がどこに設置されるか次第で、図５の一部または全部の工程は、ハンドヘルド通信装置１、１００、２００で実行されてもよいし、また一部または全部の工程は、ネットワークノード１２０、２２０で実行されてもよい。
【００７０】
図６は、メッセージがハンドヘルド通信装置１、１００、２００に通知されるのをブロックする方法の一実施形態を説明する。メッセージをブロックするため、ＭＩＵ１０４、２０４は、図５に関して説明したように初めに更新されてもよい。まず工程４００では、特定のハンドヘルド通信装置１００に向けて宛てられた着信メッセージが受信される。工程４０１では、メッセージデータが着信メッセージから抽出される。そのデータは、上記のように電話番号、電子メールアドレス、ＳＩＰアドレス、ＵＲＩアドレス、ＵＲＬアドレス等でもよい。工程４０２では、着信メッセージに関連付けられた抽出メッセージはＭＩＵ１０４、２２４内のデータ情報と関連付けられているかどうか判定される。工程４０２の答えがｎｏの場合は、工程４０３でメッセージはハンドヘルド通信装置１、１００、２００に通知または転送され、そこで手順は終了する。工程４０２の答えがｙｅｓの場合は、手順は工程４０４に進み、メッセージデータが関連付けられたデータ情報に関連するカウンタの値は、５などの所定のレベルを下回るかどうか判定される。工程４０４の答えがｙｅｓの場合は、手順は工程４０３に進む。工程４０２の答えがｎｏの場合、メッセージは工程４０５でブロックされ、着信メッセージはハンドヘルド通信装置１、１００、２００に通知も転送もされず、そこで手順は終了する。メッセージがブロックされたとき、メッセージに関係するすべてのデータと情報は、ハンドヘルド通信装置１、１００のメモリおよびネットワークノードのメモリから削除される。代替案では、メッセージは、永久に削除されるまでに、数時間または数日間保存される。ユーザがブロッキングサービスの設定を、例えばブロックされたメッセージを通知されてもよい状態に変更する場合、その古いメッセージは読み出され通知されてもよい。
【００７１】
メッセージは、ハンドヘルド通信装置１、１００が受信した場合、自動的に削除されてもよい。ＭＩＵ１０４に格納されたデータ情報が時間、日、週、月等に付き一定回数などで定期的に更新される場合、更新時、ＭＩＵ１０４は例えばインボックスをスキャンしてもよい。ＭＩＵ１０４に格納されたデータ情報は、ネットワークノード１２０からハンドヘルド通信装置１へ、更新データ情報を有するプッシュメッセージを送信することにより、自動的に更新されてもよい。それ故、更新データ情報のダウンロード要求のために、ハンドヘルド通信装置１、１００からネットワークノード１２０へ、更新要求は送信される必要はない。迷惑メッセージだがＭＩＵ１０４の更新前は迷惑メッセージでなかったメッセージがインボックスにある場合、その迷惑メッセージは自動的に削除されてもよい。このことは、配信前にメッセージが一時的にネットワークノード２２１に格納される場合、ネットワークノード２２１にも適用されてもよい。
【００７２】
ＭＩＵ１０４、２２４が物理的にどこに設置されるか次第で、図６の工程の一部または全部はネットワークノード１２０、２２０で実行されてもよいし、また工程の一部または全部はハンドヘルド通信装置１、１００、２００で実行されてもよい。
【００７３】
図５と６の方法は、方法を実行するプログラムコード手段を備えるコンピュータプログラム製品により、実装されてもよい。コンピュータプログラム製品は、特定の実装次第で、例えばコントローラ１０１、１２１、１３１、２０１、２２１のいずれかにより実行されてもよい。さらに、ＭＩＵ１０４、１３４、２２４の機能は、前述のコントローラにより実行されるプログラムコード手段により実装されてもよく、ＭＩＵ１０４、１３４、２２４に格納された情報は、メモリ１０３、１２３、１３３、２２３にそれぞれ格納されてもよい。代わりに、ＭＩＵ１０４、１３４、２２４は、単体で実装され、例えばＣＰＵ、ＦＰＧＡ（フィールド・プログラマブル・ゲート・アレイ）またはＡＳＩＣ（特定用途向け集積回路）により、ソフトウェア、ハードウェア、またはソフトウェアとハードウェアの組み合わせで実装されてもよい。
【００７４】
本発明を、特定の実施形態に言及してこれまで説明した。しかし、上記以外の実施形態も本発明の範囲内で同様に可能である。ハードウェアまたはソフトウェアにより方法を実施する、本方法の上記の工程と異なる工程が、本発明の技術的範囲内で提供されてもよい。本発明の様々な特徴および工程は、上記以外の組み合わせで組み合わされてもよい。本発明の技術的範囲を規定するのは、添付の特許請求の範囲だけである。
【図面の簡単な説明】
【００７５】
【図１】通信ネットワークに接続されたハンドヘルド通信装置の概略図である。
【図２】ネットワークノードに接続されたハンドヘルド通信装置の一実施形態のブロック図である。
【図３】ネットワークノードに接続されたハンドヘルド通信装置の別の実施形態のブロック図である。
【図４】ネットワークノードに接続されたハンドヘルド通信装置の別の実施形態のブロック図である。
【図５】迷惑メッセージに関連付けられたデータに関する情報を収集する方法のフローチャートである。
【図６】メッセージがハンドヘルド通信装置に通知されるのをブロックする方法のフローチャートである。
【図１】
2008524679.tif 000003
【図２】
2008524679.tif 000004
【図３】
2008524679.tif 000005
【図４】
2008524679.tif 000006
【図５】
2008524679.tif 000007
【図６】
2008524679.tif 000008
【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
迷惑メッセージに関する情報を収集する方法であって、
ハンドヘルド通信装置（１００、２００）内において迷惑メッセージに関連付けられたメッセージ情報を削除する工程と、
前記削除されたメッセージ情報又は前記迷惑メッセージに関連付けられたデータを、前記ハンドヘルド通信装置（１００）内、又はネットワークノード（２２０）内に設けられた、メッセージ情報部（１０４、２２４）へ転送する工程と、
前記迷惑メッセージに関連付けられた前記転送されたデータに基づき、前記メッセージ情報部（１０４、２２４）のメモリ内のデータ情報を更新する工程と、
を備え、
前記メッセージ情報部（１０４）が前記ハンドヘルド通信装置（１００）内に設けられている場合は、格納された前記メッセージ情報の少なくとも一部を外部の電子通信装置（１３０）へエクスポートし、
前記メッセージ情報部（２２４）が前記ネットワークノード（２２０）内に設けられている場合は、前記メッセージ情報部（２２４）内の情報を、前記ネットワークノード（２２０）から１以上のさらなるネットワークノードへ送信する工程を備える
ことを特徴とする方法。
【請求項２】
前記ハンドヘルド通信装置（１、１００、２００）宛ての着信メッセージから抽出したメッセージデータと、前記メッセージ情報部（１０４、２２４）に格納された前記データ情報とを比較して、前記メッセージを前記ハンドヘルド通信装置へ通知または転送すべきかどうか判定する工程を備えることを特徴とする、請求項１に記載の方法。
【請求項３】
前記メッセージ情報部（１０４、２２４）に格納された前記データ情報が、前記着信メッセージから抽出した前記メッセージデータに関するデータ情報を少しも備えない場合か、
前記データ情報は前記着信メッセージから抽出した前記メッセージデータに関係するが、前記格納された情報に遭遇した回数を示すカウンタ値が所定の値を下回る場合に、
前記通知を発行する工程または前記メッセージを転送する工程を備えることを特徴とする、請求項２に記載の方法。
【請求項４】
通信ネットワーク内で動作するハンドヘルド通信装置（２００）に向けて宛てられたメッセージをブロックする方法であって、前記通信ネットワークは、迷惑メッセージであると判定されたメッセージに関するデータ情報を備えるメッセージ情報部を備え、
前記ハンドヘルド通信装置向けの前記メッセージからメッセージデータを抽出する工程と、
前記メッセージデータと前記メッセージ情報部内に格納された前記データ情報とを比較して、前記メッセージを前記メッセージの宛先の前記ハンドヘルド通信装置へ通知または転送すべきかどうか判定する工程と、
ネットワークノード内に配置された前記メッセージ情報部（２２４）内の前記データ情報を、前記ネットワークノード（２２０）から前記ネットワークノードのドメインで動作する少なくとも１台のハンドヘルド通信装置（２００）へ転送する工程と、
を備える方法。
【請求項５】
前記ハンドヘルド通信装置（２００）が前記ネットワークノードのドメインにサインインしたことに応じて、前記メッセージ情報部（２２４）内の前記データ情報を送信する工程を備えることを特徴とする、請求項４に記載の方法。
【請求項６】
前記比較する工程は、前記宛先のハンドヘルド通信装置（２００）で実行されることを特徴とする、請求項４または５に記載の方法。
【請求項７】
前記格納されたメッセージ情報の少なくとも一部を外部の電子通信装置（１３０）へエクスポートする工程を備えることを特徴とする、請求項６に記載の方法。
【請求項８】
前記比較する工程は、前記ネットワークノード（２２０）で実行されることを特徴とする、請求項４乃至６のいずれか１項に記載の方法。
【請求項９】
前記メッセージを前記宛先のハンドヘルド通信装置（２００）へ送信する工程と、
前記ハンドヘルド通信装置から要求を受信したことに応じて前記比較する工程を実行する工程と、
前記比較工程の結果の情報を含む応答を送信する工程と
を備えることを特徴とする、請求項８に記載の方法。
【請求項１０】
迷惑メッセージに関する情報を収集する装置であって、
ハンドヘルド通信装置（１００）内の迷惑メッセージに関連付けられたメッセージ情報を削除するように構成されたコントローラ（１０１）を備え、
前記コントローラは、前記削除されたメッセージ情報又は前記迷惑メッセージに関連付けられたデータを、前記ハンドヘルド通信装置（１００）に設けられたメッセージ情報部（１０４）へ転送するように構成され、
前記メッセージ情報部（１０４）は、前記迷惑メッセージに関連付けられた前記転送されたデータに基づき、前記メッセージ情報部（１０４）のメモリ内のデータ情報を更新するように構成され、
前記コントローラ（１０１）は、格納された前記メッセージ情報の少なくとも一部を、外部の電子通信装置（２０、２１、１３０）へエクスポートするように構成され、
前記装置は前記ハンドヘルド通信装置内に設けられる
ことを特徴とする装置。
【請求項１１】
前記コントローラ（１０１）は、前記ハンドヘルド通信装置（１００）宛ての前記着信メッセージから抽出したメッセージデータと、前記メッセージ情報部（１０４）に格納された前記データ情報とを比較して、前記メッセージを前記ハンドヘルド通信装置内で通知すべきかどうか判定するように構成されることを特徴とする、請求項１０に記載の装置。
【請求項１２】
前記コントローラ（１０１）は、
前記メッセージ情報部（１０４）に格納された前記データ情報が、前記着信メッセージから抽出した前記メッセージデータに関係するデータ情報を少しも備えない場合か、
前記データ情報は前記着信メッセージから抽出した前記メッセージデータに関係するが、前記格納された情報に遭遇した回数を示すカウンタ値が所定の値を下回る場合に、
前記通知を発行するように構成される
ことを特徴とする、請求項１１に記載の装置。
【請求項１３】
前記装置は、携帯用無線通信装置、移動体無線端末、ページャ、コミュニケータ、電子オーガナイザ、携帯用情報端末（ＰＤＡ）、ハンドヘルドコンピュータ、ハンドヘルドＶｏＩＰ電話機、またはスマートフォン内に存在することを特徴とする、請求項１０乃至１２のいずれか１項に記載の装置。
【請求項１４】
前記装置は携帯電話機内に存在することを特徴とする、請求項１０乃至１２のいずれか１項に記載の装置。
【請求項１５】
迷惑メッセージに関する情報を収集する装置であって、
ハンドヘルド通信装置（２００）内で該ハンドヘルド通信装置のコントローラ（２０１）によって削除されたメッセージ情報、又は、迷惑メッセージに関連付けられたデータを、ネットワークノード（２２０）内に設けられたメッセージ情報部（２２４）へ転送するように構成されたコントローラ（２２１）を備え、
前記メッセージ情報部は、前記迷惑メッセージに関連付けられた前記転送されたデータに基づき、前記メッセージ情報部のメモリ内のデータ情報を更新するように構成され、
前記コントローラ（２２１）は、さらに、前記メッセージ情報部（２２４）内の情報を前記ネットワークノード（２２０）から１以上のさらなるネットワークノードへ送信ように構成される
ことを特徴とする装置。
【請求項１６】
前記コントローラ（２２１）は、前記ハンドヘルド通信装置（２００）宛ての前記着信メッセージから抽出したメッセージデータと、前記メッセージ情報部（２２４）に格納された前記データ情報とを比較して、前記メッセージを前記ハンドヘルド通信装置へ通知または転送すべきかどうか判定するように構成されることを特徴とする、請求項１５に記載の装置。
【請求項１７】
前記コントローラ（２２１）は、
前記メッセージ情報部（２２４）に格納された前記データ情報が、前記着信メッセージから抽出した前記メッセージデータに関係するデータ情報を少しも備えない場合か、
前記データ情報は前記着信メッセージから抽出した前記メッセージデータに関係するが、前記格納された情報に遭遇した回数を示すカウンタ値が所定の値を下回る場合に、
前記メッセージの転送を行うように構成される
ことを特徴とする、請求項１６に記載の装置。
【請求項１８】
前記装置はネットワークノード内に存在することを特徴とする、請求項１５乃至１７のいずれか１項に記載の装置。
【請求項１９】
通信ネットワーク内で動作するハンドヘルド通信装置（２００）へ向けて宛てられたメッセージをブロックする装置であって、
迷惑メッセージであると判定されたメッセージに関するデータ情報を備えるメッセージ情報部（２２４）と、
前記ハンドヘルド通信装置向けの前記メッセージからメッセージデータを抽出し、前記メッセージデータと前記メッセージ情報部内に格納された前記データ情報とを比較して、前記メッセージを前記メッセージの宛先の前記ハンドヘルド通信装置へ通知または送信すべきかどうか判定する、コントローラ（２２１）と、
を備え、
前記メッセージ情報部（２２４）と前記コントローラ（２２１）は、ネットワークノード（２２０）内に配置され、前記コントローラは、前記メッセージ情報部内の前記データ情報を、前記ネットワークノード（２２０）から前記ネットワークノードのドメインで動作する少なくとも１台のハンドヘルド通信装置（２００）へ送信するように構成される
ことを特徴とする装置。
【請求項２０】
前記コントローラは、前記ハンドヘルド通信装置（２００）が前記ネットワークノードのドメインにサインインするのに応じて、前記メッセージ情報部（２２４）内の前記データ情報を送信するように構成されることを特徴とする、請求項１９に記載の装置。
【請求項２１】
前記コントローラは、
前記メッセージを前記宛先のハンドヘルド通信装置（２００）へ送信し、
前記ハンドヘルド通信装置（２００）から要求を受信したことに応じて前記メッセージデータと前記メッセージ情報部に格納された前記データ情報と、を比較する前記工程を実行し、
前記比較する工程の結果の情報を含む応答を送信する
ように構成されることを特徴とする、請求項１９または２０に記載の装置。
【請求項２２】
通信ネットワーク内で動作するハンドヘルド通信装置（１００）へ向けて宛てられたメッセージをブロックする装置であって、
迷惑メッセージであると判定されたメッセージに関するデータ情報を備えるメッセージ情報部（１０４）と、
前記ハンドヘルド通信装置向けの前記メッセージからメッセージデータを抽出し、前記メッセージデータと前記メッセージ情報部内に格納された前記データ情報とを比較して、前記メッセージを前記メッセージの宛先の前記ハンドヘルド通信装置において通知すべきかどうか判定する、コントローラ（１０１）と、
を備え、
前記コントローラは、前記宛先のハンドヘルド通信装置（１００）内に設けられ、
前記コントローラは、前記格納されたメッセージ情報の少なくとも一部を、外部の電子通信装置（１３０）へエクスポートするように構成される
ことを特徴とする装置。
【請求項２３】
前記装置は、前記宛先のハンドヘルド通信装置である携帯用無線通信装置、移動体無線端末、ページャ、コミュニケータ、電子オーガナイザ、携帯用情報端末（ＰＤＡ）、ハンドヘルドコンピュータ、ハンドヘルドＶｏＩＰ電話機、またはスマートフォン内に存在することを特徴とする、請求項２２に記載の装置。
【請求項２４】
前記装置は、前記宛先のハンドヘルド通信装置である携帯電話機内に存在することを特徴とする、請求項２２に記載の装置。
【請求項２５】
コンピュータプログラムコード手段がコンピュータ機能を有する電子装置により実行されるとき、請求項１乃至３のいずれか１項に記載の方法を実行する前記コンピュータプログラムコード手段を備えるコンピュータプログラム製品。
【請求項２６】
コンピュータプログラムコード手段がコンピュータ機能を有する電子装置により実行されるとき、請求項４乃至９のいずれか１項に記載の方法を実行する前記コンピュータプログラムコード手段を備えるコンピュータプログラム製品。
【国際調査報告】
2008524679.tif 000009
2008524679.tif 000010
2008524679.tif 000011